(57)【特許請求の範囲】
【請求項１】
複数の第１仮想点を有する剛体と、前記剛体から所定距離離れて立体的に配置される複数の第２仮想点と、を仮想し、前記第１仮想点および前記第２仮想点の一方を、音を発生する音源とし、他方を、音を受音する受音源として、前記音源から前記受音源への音の伝達特性を、伝達関数を用いてシミュレーションする第１工程と、
前記剛体と、前記剛体から所定距離離れて同一平面上に配置される複数の第３仮想点と、を仮想し、前記第１仮想点および前記第３仮想点の一方を、音を発生する音源とし、他方を、音を受音する受音源として、前記音源から前記受音源への音の伝達特性を、伝達関数を用いてシミュレーションする第２工程と、
前記剛体の第１仮想点と同じ位置関係に配置される複数の音源を有するスピーカーと、前記剛体に対する複数の前記第３仮想点と同じ姿勢で前記スピーカーからの音を受音するマイクと、を、少なくとも前記スピーカーと前記マイクとの間に障害物がない空間に用意し、前記スピーカーから発生された音を前記マイクにより受音して、前記スピーカーからの音の伝達特性を検出する第３工程と、
前記第３工程において検出された伝達特性と合致するように、前記第２工程においてシミュレーションされた伝達特性を補正するための補正値を算出する第４工程と、
前記第４工程において算出された補正値に基づいて、前記第１工程において演算された音の伝達特性を補正して、遮音度測定用伝達特性を生成する第５工程と、
を有することを特徴とする遮音度測定用伝達特性生成方法。
【請求項２】
前記第１工程において、複数の前記第２仮想点は、前記剛体から等立体角に配置されており、
前記第２工程において、複数の前記第３仮想点は、同一平面上に等角に配置されていることを特徴とする請求項１に記載の遮音度測定用伝達特性生成方法。
【請求項３】
複数の音源を有するスピーカーと、
前記スピーカーからの音を受音して、音響レベルを測定するマイクと、
前記スピーカーおよび前記マイクを制御すると共に、音の伝達特性をシミュレーションする制御部と、を有し、
前記制御部は、
複数の第１仮想点を有する剛体と、前記剛体から所定距離離れて立体的に配置される複数の第２仮想点と、を仮想し、前記第１仮想点および前記第２仮想点の一方を、音を発生する音源とし、他方を、音を受音する受音源として、前記音源から前記受音源への音の伝達特性を、伝達関数を用いてシミュレーションし、
前記剛体と、前記剛体から所定距離離れて同一平面上に配置される複数の第３仮想点と、を仮想し、前記第１仮想点および前記第３仮想点の一方を、音を発生する音源とし、他方を、音を受音する受音源として、前記音源から前記受音源への音の伝達特性を、伝達関数を用いてシミュレーションし、
前記剛体の第１仮想点と同じ位置関係に前記スピーカーの複数の音源が配置された状態で、前記剛体に対する複数の前記第３仮想点と同じ姿勢で配置された前記マイクにより前記スピーカーからの音を受音させ、前記スピーカーからの音の伝達特性を検出し、
検出された前記伝達特性と合致するように、前記第１仮想点と前記第３仮想点との間でシミュレーションされた伝達特性を補正するための補正値を算出し、
算出された補正値に基づいて、前記第１仮想点と前記第２仮想点との間でシミュレーションした結果得られた音の伝達特性を補正して、遮音度測定用伝達特性を生成することを特徴とする遮音度測定用伝達特性生成装置。
【請求項４】
測定環境に設置された請求項１に記載のスピーカーとマイクとについて、前記スピーカーからの音を前記マイクにより受音して、受音レベルを測定する測定工程と、
前記スピーカーおよび前記マイクの位置関係と、請求項１に記載の遮音度測定用伝達特性と、に基づいて、前記スピーカーおよび前記マイクとの間に障害物がない場合に前記マイクで受音される仮想受音レベルを算出する算出工程と、
前記測定工程において測定された受音レベルと、前記算出工程において算出された仮想受音レベルと、に基づいて、遮音度を算出する遮音度測定工程と、
を有することを特徴とする遮音度測定方法。
【請求項５】
複数の音源を有するスピーカーと、
前記スピーカーからの音を受音して、音響レベルを測定するマイクと、
前記スピーカーおよび前記マイクの位置関係と、請求項１に記載の遮音度測定用伝達特性と、に基づいて、前記スピーカーと前記マイクとの間に障害物がない場合に前記マイクで受音される仮想受音レベルを算出し、算出した前記仮想受音レベルと、前記マイクで測定された音響レベルと、に基づいて、遮音度を算出する制御部と、
を有することを特徴とする遮音度測定装置。
【発明の詳細な説明】
【技術分野】
【０００１】
本発明は、遮音度測定用伝達特性生成方法、遮音度測定用伝達特性生成装置、遮音度測定方法および遮音度測定装置に関する。
【背景技術】
【０００２】
従来のガソリン車は、エンジン等の騒音が車室内に侵入することを抑制するため、車体には遮音部材や吸音部材を設けている。遮音部材や吸音部材によりどの程度騒音の侵入が抑制されているのか、遮音性能という性能指標で定量的に評価する必要がある。
【０００３】
車両の遮音性能を計測する場合に利用される一般的な手法としては、相反定理を用いて遮音性能を計測する手法がある。相反定理とは、音源と受音源との位置を反対にしても、受音源による受音レベルは変わらないという定理である。たとえば、車両室内に騒音相当の音を出力するスピーカーを配置し、エンジン部分にマイクを配置して、スピーカーからマイクに伝わる音の伝達関数を計測する。
【０００４】
上記手法の場合、マイクは、エンジン等の騒音発生部品に取り付けられる。騒音発生部品は、車両の異なる部分に配置されているので、スピーカーは点音源のように、どの方向にも同じ音響レベルで音を伝達する性質を有する必要がある。点音源でなく指向性があると、スピーカーの向き、あるいは騒音部品の位置によって、伝達される音響レベルが異なり、定量的に遮音性能が測定できない。
【０００５】
スピーカーの振動は面で発生できるが点では発生できない。このため、スピーカーは厳密には点音源にはならない。ところが、スピーカーから出力される音が数千Ｈｚ以下の低周波であるときにはスピーカーから周囲に拡散する音に指向性はほとんどなく、点音源とみなすことができる。たとえば、エンジンの騒音に相当する低周波の音は指向性が少ないことから、既存のスピーカーから低周波音を出力すれば、そのスピーカーは点音源のように振る舞い、エンジンの騒音に対する遮音性能が測定できる。また、車両の遮音性能を評価する方法としては、たとえば、特許文献１のように、有限要素法を使って厳密に演算する技術も知られている。
【先行技術文献】
【特許文献】
【０００６】
【特許文献１】特開２０１０−２３０５８４号公報
【発明の概要】
【発明が解決しようとする課題】
【０００７】
近年、ＥＶやＨＥＶといったモータを駆動力とする車両が様々な自動車メーカで開発されている。これらの車両に搭載されるモータ、インバータ、ＤＣ／ＤＣコンバータ、バッテリ等からエンジンのみで駆動する車両には無い１０ＫＨＺにわたる高周波異音が問題となるようになってきた。車両設計においては，これらの部品から発生したノイズが車室内へ到来する際の音圧レベルを事前に予測するため，音源から受音点までの伝達関数を計測することで，各部品での音圧レベルの目標値の割り付け，及び完成車両の達成度評価を行っており，高周波領域でも同様に，精度良く遮音性能を計測することが求められる。
【０００８】
ここで、高周波音、たとえば、１０ｋＨｚ以上の音になると低周波とは異なって指向性を持つようになり、上述の低周波のように点音源のようには振る舞わない。したがって、車両室内にモータの騒音相当の音を出力するスピーカーを配置し、モータ部分にマイクを配置した場合、スピーカーとマイクとの距離や相対的な姿勢が変わると、マイクの受音レベルが変わってしまう。高周波音については、スピーカーを点音源と見なしていた従来の遮音性能測定方法が使えないという問題がある。
【０００９】
また、特許文献１のように有限要素法を用いて解析する場合、演算量が膨大となり、処理に多大な時間がかかってしまうという問題がある。
【００１０】
本発明は、上記事情に鑑みてなされたものであり、演算量を膨大にすることなく、高周波発生部品に対する遮音性能の測定を可能とする遮音度測定用伝達特性生成方法、遮音度測定用伝達特性生成装置、遮音度測定方法および遮音度測定装置を提供することを目的とする。
【課題を解決するための手段】
【００１１】
上記目的を達成するための本発明に係る遮音度測定用伝達特性生成方法は、複数の第１仮想点を有する剛体と、前記剛体から所定距離離れて立体的に配置される複数の第２仮想点と、を仮想し、前記第１仮想点および前記第２仮想点の一方を、音を発生する音源とし、他方を、音を受音する受音源として、前記音源から前記受音源への音の伝達特性を、伝達関数を用いてシミュレーションする第１工程と、前記剛体と、前記剛体から所定距離離れて同一平面上に配置される複数の第３仮想点と、を仮想し、前記第１仮想点および前記第３仮想点の一方を、音を発生する音源とし、他方を、音を受音する受音源として、前記音源から前記受音源への音の伝達特性を、伝達関数を用いてシミュレーションする第２工程と、前記剛体の第１仮想点と同じ位置関係に配置される複数の音源を有するスピーカーと、前記剛体に対する複数の前記第３仮想点と同じ姿勢で前記スピーカーからの音を受音するマイクと、を、少なくとも前記スピーカーと前記マイクとの間に障害物がない空間に用意し、前記スピーカーから発生された音を前記マイクにより受音して、前記スピーカーからの音の伝達特性を検出する第３工程と、前記第３工程において検出された伝達特性と合致するように、前記第２工程においてシミュレーションされた伝達特性を補正するための補正値を算出する第４工程と、前記第４工程において算出された補正値に基づいて、前記第１工程において演算された音の伝達特性を補正して、遮音度測定用伝達特性を生成する。
【００１２】
上記目的を達成するための本発明に係る遮音度測定用伝達特性生成装置は、スピーカーと、マイクと、制御部とを有する。スピーカーは、複数の音源を有する。マイクは、前記スピーカーからの音を受音して、音響レベルを測定する。制御部は、前記スピーカーおよび前記マイクを制御すると共に、音の伝達特性をシミュレーションする。さらに、制御部は、複数の第１仮想点を有する剛体と、前記剛体から所定距離離れて立体的に配置される複数の第２仮想点と、を仮想し、前記第１仮想点および前記第２仮想点の一方を、音を発生する音源とし、他方を、音を受音する受音源として、前記音源から前記受音源への音の伝達特性を、伝達関数を用いてシミュレーションし、前記剛体と、前記剛体から所定距離離れて同一平面上に配置される複数の第３仮想点と、を仮想し、前記第１仮想点および前記第３仮想点の一方を、音を発生する音源とし、他方を、音を受音する受音源として、前記音源から前記受音源への音の伝達特性を、伝達関数を用いてシミュレーションし、前記剛体の第１仮想点と同じ位置関係に前記スピーカーの複数の音源が配置された状態で、前記剛体に対する複数の前記第３仮想点と同じ姿勢で配置された前記マイクにより前記スピーカーからの音を受音させ、前記スピーカーからの音の伝達特性を検出し、検出された前記伝達特性と合致するように、前記第１仮想点と前記第３仮想点との間でシミュレーションされた伝達特性を補正するための補正値を算出し、算出された補正値に基づいて、前記第１仮想点と前記第２仮想点との間でシミュレーションした結果得られた音の伝達特性を補正して、遮音度測定用伝達特性を生成する。
【００１３】
上記目的を達成するための本発明に係る遮音度測定方法は、測定環境に設置された前述のスピーカーとマイクとについて、前記スピーカーからの音を前記マイクにより受音して、受信レベルを測定し、前記スピーカーおよび前記マイクの位置関係と、前述の遮音度測定用伝達特性と、に基づいて、前記スピーカーおよび前記マイクとの間に障害物がない場合に前記マイクで受音される仮想受音レベルを算出し、前記測定工程において測定された受音レベルと、前記算出工程において算出された仮想受音レベルと、に基づいて、遮音度を算出する。
【００１４】
上記目的を達成するための本発明に係る遮音度測定装置は、スピーカーと、マイクと、制御部とを有する。スピーカーは、複数の音源を有する。マイクは、前記スピーカーからの音を受音して、音響レベルを測定する。制御部は、前記スピーカーおよび前記マイクの位置関係と、請求項１に記載の遮音度測定用伝達特性とに基づいて、前記スピーカーと前記マイクとの間に障害物がない場合に前記マイクで受音される仮想受音レベルを算出し、算出した前記仮想受音レベルと、前記マイクで測定された音響レベルと、に基づいて、遮音度を算出する。
【発明の効果】
【００１５】
遮音度測定用伝達特性生成方法および遮音度測定用伝達特性生成装置によれば、シミュレーション結果と測定結果に基づいて、スピーカーからの音の伝達特性を生成するので、伝達特性が点音源的な振る舞いでなくても、正確に特性を再現できる。伝達特性のシミュレーションに、剛球体周りの音の伝搬式を用いるので、有限要素法などのように複雑な演算が必要なく、伝達特性を求めることができる。
【００１６】
遮音度測定方法および遮音度測定装置によれば、スピーカーおよびマイクの位置関係と、遮音度測定用伝達特性とに基づいて、障害物により音が低減されない仮想受音レベルを算出し、受音レベルと比べることで、定量的に遮音度を算出できる。
【図面の簡単な説明】
【００１７】
【図１】遮音度測定装置の概略構成を示すブロック図である。
【図２】スピーカーの外観を示す図である。
【図３】スピーカーの音の伝達特性を測定する様子を示す図である。
【図４】スピーカーの伝達特性の測定結果を示す図である。
【図５】遮音度測定用伝達特性を生成する手順を示すフローチャートである。
【図６】音の伝達特性を立体的にシミュレーションする際の音源および受音源を示す図である。
【図７】音の伝達特性を平面的にシミュレーションする際の音源および受音源を示す図である。
【図８】音の伝達特性のシミュレーション結果と測定結果との比較を表す図である。
【図９】遮音度測定装置のマイクとスピーカーを車両に設置した様子を示す図である。
【図１０】遮音度測定手順の流れを示すフローチャートである。
【発明を実施するための形態】
【００１８】
以下、添付した図面を参照して、本発明の実施形態を説明する。なお、図面の説明において同一の要素には同一の符号を付し、重複する説明を省略する。また、図面の寸法比率は、説明の都合上誇張されており、実際の比率とは異なる場合がある。
【００１９】
図１は遮音度測定装置の概略構成を示すブロック図であり、図２はスピーカーの外観を示す図である。
【００２０】
本実施形態の遮音度測定装置１は、騒音部品から発生される騒音を遮音する程度を測定するための装置である。本実施形態では、遮音度測定装置１が、車両における騒音部品についての遮音度を測定する例について説明する。
【００２１】
遮音度測定装置１は、スピーカー１０、マイク２０、記憶部３０および制御部４０を有する。
【００２２】
スピーカー１０は、複数の音源を有する。スピーカー１０は、たとえば、図２に示すように、正十二面体の各面に音源を有し、それぞれの音源から音を発生する。マイク２０は、スピーカー１０からの音を受音して、音響レベルを測定する。
【００２３】
記憶部３０は、スピーカー１０により発生する音声データや、マイク２０により受音した受音データを記憶する。また、記憶部３０は、受音データをシミュレーション解析した結果や、遮音度を測定するために用いる伝達特性等も記憶する。制御部４０は、スピーカー１０、マイク２０および記憶部３０を制御する。
【００２４】
（伝達特性）
本実施形態の遮音度測定装置１の具体的な動作の流れを説明する前に、上記のスピーカー１０が音を伝達する特性（以下、伝達特性という）について説明する。
【００２５】
図３はスピーカーの音の伝達特性を測定する様子を示す図であり、図４はスピーカーの伝達特性の測定結果を示す図である。
【００２６】
スピーカー１０の平面方向での音の伝達特性を測定する際には、スピーカー１０の周りに、図２に黒丸で示す位置にマイク２０などの受音源を配置する。ただし、図２に示すように複数の位置にマイク２０を設置するのは工数やコストがかかる。したがって、図３に示すように、マイク２０とスピーカー１０とを所定距離離して配置し、スピーカー１０を所定角度だけ回転させる度に、マイク２０により受音することで、スピーカー１０の周囲にマイク２０があるのと同じ状況を実現できる。たとえば、マイク２０から３ｍ離れたスピーカー１０を１度回転させるごとに、マイク２０により受音した音響レベルを測定して、角度間の値を補完すると、図４に示すような伝達特性が得られる。
【００２７】
図４では、スピーカー１０から１ｋＨｚまたは１０ｋＨｚの音を発生した場合の伝達特性を実線により示し、点音源を仮想した場合の伝達特性を一点鎖線により示している。１ｋＨｚの場合、図中左側に示すように、３６０度のどの方向でも１０ｄＢ程度の音響レベルが得られ、伝達特性に歪がない。また、１ｋＨｚの場合、スピーカー１０の伝達特性が点音源の伝達特性とほぼ一致している。これに対し、１０ｋＨｚの場合、図中右側に示すように、位置によって音響レベルが異なり、伝達特性に歪があることがわかる。１０ｋＨｚの場合、スピーカー１０の伝達特性は、全方位５ｄＢ程度の点音源の伝達特性とは大きく異なる。このように、スピーカー１０は、多面体に構成した場合、１ｋＨｚ程度の周波数では点音源のように振る舞い、１０ｋＨｚ以上の高周波では点音源とは全く異なる伝達特性を有する。
【００２８】
本実施形態の遮音度測定装置１は、高周波になるとスピーカー１０からの伝達特性が歪むことを考慮しつつ、当該スピーカー１０を使って、高周波騒音部品についての遮音性能を測定する。
【００２９】
（遮音度測定用伝達特性の生成）
遮音度測定装置１を車両に実際に適用する前に、遮音度を測定するための基準となる伝達特性を生成する手順について説明する。
【００３０】
図５は遮音度測定用伝達特性を生成する手順を示すフローチャート、図６は音の伝達特を立体的にシミュレーションする際の音源および受音源を示す図、図７は音の伝達特性を平面的にシミュレーションする際の音源および受音源を示す図、図８は音の伝達特性のシミュレーション結果と測定結果との比較を表す図である。なお、図５に示すフローチャートの手順は、記憶部３０に記憶されているアプリケーションに従って、制御部４０が実行する。
【００３１】
制御部４０は、スピーカー１０から高周波音が発生された場合の伝達特性をシミュレーションする（ステップＳ１）。ここでは、図６に示すように、複数の第１仮想点１２を有する剛球体５０と、剛球体５０から所定距離離れて等位角に配置される複数の第２仮想点２２とを自由音場に仮想している。シミュレーションには、音を吸収したり反射したりする構成は考慮しない。剛球体５０はスピーカー１０に相当し、第１仮想点１２はスピーカー１０上の音源と同じ位置関係に配置され、第２仮想点２２は、受音源であるマイク２０に相当する。第２仮想点２２は剛球体５０から３ｍ離れている。制御部４０は、第１仮想点１２で音を発生し第２仮想点２２で受音した時の音響レベルを算出し、各第２仮想点２２間を補完することで、伝達特性をシミュレーションする。
【００３２】
ここで、音響レベルを算出するには以下の剛球体周りの音の伝搬式（１）を用いる。
【００３３】
【数１】
0005888011.tif 000002
【００３４】
Ｐｎ（ｘ）はルジャンドル（Ｌｅｇｅｎｄｒｅ）関数、
ｈｎ（２）（ｘ）は第２種球ハンケル（球Ｈａｎｋｅｌ）関数、
ｋは波数である。
【００３５】
なお、第１仮想点１２は、剛球体５０上において点対称に配置されているので、図６に示すように、半球側に第２仮想点２２を配置すれば足りる。
【００３６】
次に、制御部４０は、スピーカー１０から高周波音が発生された場合の伝達特性をシミュレーションする（ステップＳ２）。ここでは、図７に示すように、複数の第１仮想点１２を有する剛球体５０と、剛球体５０から所定距離離れて同一平面上に等角に配置される複数の第３仮想点２４とを仮想している。シミュレーションには、音を吸収したり反射したりする構成は考慮しない。剛球体５０および第１仮想点１２は図６と同様であり、第３仮想点２４は、受音源であるマイク２０に相当する。第３仮想点２４は剛球体５０から３ｍ離れている。制御部４０は、第１仮想点１２で音を発生し第３仮想点２４で受音した時の音響レベルを算出し、各第３仮想点２４間を補完することで、伝達特性をシミュレーションする。シミュレーション結果は、たとえば、図８に一点鎖線で示す通りである。
【００３７】
続けて、制御部４０は、実際に配置されたマイク２０およびスピーカー１０を制御して、スピーカー１０からの音をマイク２０により受音して、伝達特性を検出する（ステップＳ３）。ここで、マイク２０は、ステップＳ２における剛球体５０に対する第３仮想点と同じ姿勢で、スピーカー１０に対して同一平面上に配置される。図３に示すようにマイク２０から３ｍ離れた位置でスピーカー１０を回転させることで、複数のマイク２０がスピーカー１０の周りの平面上にあるのと同じ条件を実現できる。マイク２０は、図２に示すように実際に複数配置されてもよい。スピーカー１０とマイク２０とは、少なくとも間に障害物がない空間に、好ましくは無響室に配置される。検出された伝達特性は、たとえば、図８に実線で示す通りである。図８に示す通り、検出した伝達特性は、ステップＳ２で演算して得た伝達特性と類似の歪を有する。
【００３８】
制御部４０は、ステップＳ３で検出した実際の伝達特性と合致するように、ステップＳ２でシミュレーションした伝達特性を補正するための補正値（補正項）を算出する（ステップＳ４）。
【００３９】
続けて、制御部４０は、ステップＳ１で演算して得た伝達特性を、ステップＳ４で得た補正値を用いて補正し、遮音度測定用伝達特性を生成する（ステップＳ５）。生成された遮音度測定用伝達特性は、記憶部３０に記憶される。ステップＳ５により生成された遮音度測定用伝達特性は、無響空間において、スピーカー１０（剛球体）から任意の方向および距離のマイク２０（受音源）で受音される音響レベルを示す。すなわち、遮音度測定用伝達特性によれば、スピーカー１０の姿勢とマイク２０の位置とが正確に与えられれば、マイク２０により受音される音響レベルを推定できる。
【００４０】
なお、上記のステップＳ１およびステップＳ２では、第１仮想点１２と第２仮想点２２または第３仮想点２４との間が３ｍの場合でシミュレーションしている。しかし、３ｍ以外に任意の距離に設定できる。いずれの距離に設定した場合でも、遮音度測定用伝達特性が一旦求まれば、音の減衰、拡散を考慮して、音源からいずれの距離、方向でも音響レベルを推定できる。
【００４１】
（遮音度測定）
次に、遮音度測定装置１により遮音度を測定する手順について説明する。
【００４２】
図９は遮音度測定装置のマイクとスピーカーを車両に設置した様子を示す図、図１０は遮音度測定手順の流れを示すフローチャートである。なお、図１０に示すフローチャートの手順は、記憶部３０に記憶されているアプリケーションに従って、制御部４０が実行する。
【００４３】
図９に示すように、スピーカー１０は、車両の室内空間に配置される。スピーカー１０は、たとえば、運転席における運転者の顔の位置、助手席、後部座席等に設置される。マイク２０は、車体中のインバータ６０およびＤＣ／ＤＣコンバータ６２の付近に設置されている。マイク２０毎に遮音度は測定される。スピーカー１０の姿勢および、スピーカー１０に対するマイク２０の位置は既知であり、予め記憶部３０に記憶されている。また、遮音度測定装置１の記憶部３０には、インバータ６０およびＤＣ／ＤＣコンバータ６２から発生する騒音と同じ周波数の音が記憶されている。
【００４４】
図１０に示すように、制御部４０は、スピーカー１０により測定対象と同じ周波数の音声を発生し、マイク２０により集音して、集音した音の音響レベルを測定する（ステップＳ１１）。
【００４５】
制御部４０は、図５の手順により生成した遮音度測定用伝達特性と、スピーカー１０およびマイク２０の位置関係とに基づいて、同じ位置関係で無響空間にスピーカーおよびマイクがある場合にマイクで受音される仮想音響レベルを算出する（ステップＳ１２）。仮想音響レベルは、遮音や吸音する部材が車体に全くない場合の音響レベルを示す。
【００４６】
制御部４０は、ステップＳ１１で測定した音響レベルを、ステップＳ１２で算出した仮想音響レベルにより除算して、遮音度として算出する（ステップＳ１３）。
【００４７】
以上のように、本実施形態によれば、シミュレーション結果と測定結果に基づいて、スピーカー１０からの音の伝達特性（遮音度測定用伝達特性）を生成するので、伝達特性に歪があっても、遮音度測定用伝達特性により正確に再現できる。
【００４８】
遮音度測定用伝達特性を使って算出した仮想音響レベルと、実際にマイク２０により検出した音響レベルとを比較するので、定量的に遮音度を測定できる。換言すると、マイク２０で実際に検出する音響レベルが位置によって異なるのに合わせて、遮音度測定用伝達特性も対応する位置で仮想音響レベルが異なる。たとえば、測定できる音響レベルが大きくなる位置では、遮音度測定用伝達特性により算出される仮想音響レベルも大きくなる。音響レベルと仮想音響レベルが同じ割合で大きくなり、あるいは小さくなるので、これらを相互に除算することで、歪による音響レベルの大小を除去した定量的な遮音度を測定できる。
【００４９】
また、伝達関数式（１）を用いて伝達特性をシミュレーションしているので、有限要素法を採用する場合に比べて煩雑な演算が少なく、迅速に遮音度を測定できる。
【００５０】
遮音度測定用伝達特性の生成の為のステップＳ１では、複数の第２仮想点２２を等位角に配置しているので、第２仮想点２２間を補完しやすい。ステップＳ２において、複数の第３仮想点２４を同一平面上に等角に配置しているので、第３仮想点２４間を補完しやすい。
【００５１】
なお、上記実施形態では、遮音度測定用伝達特性の生成の為のステップＳ１において、第１仮想点１２が音源に相当し、第２仮想点２２が受音源に相当する場合について説明したが、これに限定されない。第１仮想点１２がスピーカー１０上の音源と同じ位置関係に配置される受音源に相当し、第２仮想点２２が音源に相当するものとして、伝達特性を算出してもよい。相反定理により、自由音場では、第１仮想点１２と第２仮想点２２のいずれが音源、受音源でも、同じ特性が得られる。ステップＳ２においても同様である。
【００５２】
上記実施形態では、正十二面体のスピーカー１０を例示したが、これに限定されない。いかなる正多面体のスピーカーを適用してもよい。ただし、面数が多くなるにつれて、一面に配置できるスピーカーの大きさも小さくなる。したがって、遮音度を測定するための最低の音響レベルの確保を考慮して、面数は限定される。
【００５３】
また、上記実施形態では、車両における遮音度を測定する場合について説明した。しかし、これに限定されない。本発明は、いかなる設備や装置、環境における遮音度の測定にも適用できる。
【符号の説明】
【００５４】
１  遮音度測定装置、
１０  マイク、
１２  第１仮想点、
２２  第２仮想点、
２４  第３仮想点、
２０  スピーカー、
３０  記憶部、
４０  制御部、
５０  剛球体。
【図１】
0005888011.tif 000003
【図２】
0005888011.tif 000004
【図３】
0005888011.tif 000005
【図４】
0005888011.tif 000006
【図５】
0005888011.tif 000007
【図６】
0005888011.tif 000008
【図７】
0005888011.tif 000009
【図８】
0005888011.tif 000010
【図９】
0005888011.tif 000011
【図１０】
0005888011.tif 000012